【手続補正書】
【提出日】平成18年5月22日(2006.5.22)
【手続補正１】
【補正対象書類名】明細書
【補正対象項目名】特許請求の範囲
【補正方法】変更
【補正の内容】
【特許請求の範囲】
【請求項１】
記録材上の未定着トナー像と接触する第１の回転体と、
前記第１の回転体と記録材を挟持する第２の回転体と、
を有し、前記第１の回転体と前記第２の回転体間のニップ部で記録材上の未定着トナー像を記録材に定着する定着装置において、
前記第１の回転体は導電層とトップ層を有し、装置本体に備えられた電源によって前記導電層には、トナーの帯電極性と同極性の電圧を印加が印加され、
また、記録材搬送方向で前記ニップ部から離れた位置には、記録材が前記ニップ部で挟持されている状態において該記録材が接触する電極が設けられる構成で
、
前記記録材の抵抗が高い時には、前記トップ層と前記記録材を介して前記導電層と前記第２の回転体間で電流が流れ、
前記記録材の抵抗が低い時には、前記トップ層と前記記録材を介して前記導電層と前記電極間で電流が流れることを特徴とする定着装置。
【請求項２】
前記電極は記録材搬送方向で前記ニップ部の下流側に設けられた排紙ローラであることを特徴とする請求項１に記載の定着装置。
【請求項３】
前記第２の回転体は芯金と導電性のゴム層と導電性の離型層を有し、前記電源による前記第１の回転体の前記導電層への給電位置と前記電極との電位差は、前記給電位置と前記第２の回転体の前記芯金との電位差よりも大きく設定されていることを特徴とする請求項１に記載の定着装置。
【請求項４】
前記第１の回転体はエンドレスフィルムであり、前記第２の回転体は加圧ローラであることを特徴とする請求項１に記載の定着装置。
【請求項５】
前記エンドレスフィルムの内周面に接触するヒータを有することを特徴とする請求項４に記載の定着装置。
【請求項６】
前記第１の回転体は内部にハロゲンヒータを有する定着ローラであることを特徴とする請求項１に記載の定着装置。
【手続補正２】
【補正対象書類名】明細書
【補正対象項目名】００２３
【補正方法】変更
【補正の内容】
【００２３】
【課題を解決するための手段】
上記目的を達成するために本発明にあっては、記録材上の未定着トナー像と接触する第１の回転体と、前記第１の回転体と記録材を挟持する第２の回転体と、を有し、前記第１の回転体と前記第２の回転体間のニップ部で記録材上の未定着トナー像を記録材に定着する定着装置において、前記第１の回転体は導電層とトップ層を有し、装置本体に備えられた電源によって前記導電層には、トナーの帯電極性と同極性の電圧を印加が印加され、また、記録材搬送方向で前記ニップ部から離れた位置には、記録材が前記ニップ部で挟持されている状態において該記録材が接触する電極が設けられる構成で、前記記録材の抵抗が高い時には、前記トップ層と前記記録材を介して前記導電層と前記第２の回転体間で電流が流れ、前記記録材の抵抗が低い時には、前記トップ層と前記記録材を介して前記導電層と前記電極間で電流が流れることを特徴とする。
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】削除
【補正の内容】
【手続補正１５】
【補正対象書類名】明細書
【補正対象項目名】００４６
【補正方法】変更
【補正の内容】
【００４６】
また、最外殻層（トップ層４３）は主に５〜５０μｍ程度のＰＦＡ及びＰＦＡ中にＰＴＦＥなどを分散させた離型層で、体積抵抗は１×１０８〜１×１０１４Ωｃｍ程度の層を用いている。
【手続補正１６】
【補正対象書類名】明細書
【補正対象項目名】００６９
【補正方法】変更
【補正の内容】
【００６９】
ここで、定着ニップ部Ｎの近傍では記録材Ｐが加熱され水蒸気が常に発生している。
【手続補正１７】
【補正対象書類名】明細書
【補正対象項目名】００７０
【補正方法】変更
【補正の内容】
【００７０】
従って、定着ニップを蒸気源とみなすことができ、記録材Ｐの定着ニップ近傍Ｐｄは水蒸気により著しく抵抗が下がり、等価回路上直列に挿入される他の抵抗に比べて無視できるほど小さくなる。
【手続補正１８】
【補正対象書類名】明細書
【補正対象項目名】００８３
【補正方法】変更
【補正の内容】
【００８３】
フィルムトップ層４３の抵抗の大きさによるが、本構成では、−３０００Ｖでフィルムの劣化が顕著になったことから、本構成による抵抗程度では、印加電圧は−３０００Ｖ以上が好ましい。
【手続補正１９】
【補正対象書類名】明細書
【補正対象項目名】００８８
【補正方法】変更
【補正の内容】
【００８８】
表図より−５００Ｖ以下で尾引きが防止できることが分かる。
【手続補正２０】
【補正対象書類名】明細書
【補正対象項目名】００９９
【補正方法】変更
【補正の内容】
【００９９】
この時フィルムのプライマ層４２と電源７間に流れる電流も記す。
【手続補正２１】
【補正対象書類名】明細書
【補正対象項目名】０１０７
【補正方法】変更
【補正の内容】
【０１０７】
この現象は、フィルム表面への紙粉の付着量の増大により、離型性が低下し、オフセットトナーが増加してしまうためである。
【手続補正２２】
【補正対象書類名】明細書
【補正対象項目名】０１２１
【補正方法】変更
【補正の内容】
【０１２１】
これらの関係がある事から、本実施の形態に係る構成では、記録材の環境変動による吸湿状態の変動を利用して、記録材の抵抗（Ｒｐ）が高い時には、導電加圧ローラとフィル
ムプライマ層間に電流を積極的に流して、これらの電極間の電位差が有効になるようにし、一方、記録材の抵抗が低い高湿環境においては、フィルムプライマ層と導電排紙ローラ間に電流を流して、これらの電極間電位差が有効になるように、導電加圧ローラに印加する電圧値とフィルムプライマ層に印加する電圧値を設定する。
【手続補正２３】
【補正対象書類名】明細書
【補正対象項目名】０１２７
【補正方法】変更
【補正の内容】
【０１２７】
従って、本実施の形態のように、環境による記録材の吸湿状態に応じて変動する、抵抗変動を利用して、記録材の吸湿状態によって電流パスが変わる構成とすることで、高湿環境においては尾引きに最適な電界、低湿環境においては定着器汚れに最適な電界をそれぞれ形成させ、環境に応じて良好な画像を得る事ができる。
【手続補正２４】
【補正対象書類名】明細書
【補正対象項目名】０１４４
【補正方法】変更
【補正の内容】
【０１４４】
この抵抗差を利用して、導電加圧ローラ３からアースされている経路の抵抗値を１０６Ωから１０１４Ωの間に設定すれば、高温高湿環境化では、主に、フィルム４と排紙ローラ８間を記録材を介して電流が流れ、低温低湿環境下では主に、フィルム４と導電加圧ローラ３間に電流が流れる。
【手続補正２５】
【補正対象書類名】明細書
【補正対象項目名】０１４５
【補正方法】変更
【補正の内容】
【０１４５】
本実施の形態で用いた、導電化した加圧ローラ３のローラの抵抗Ｒｒは、図９中の等価回路上〜１０７Ωで、ほぼ高湿環境下での記録材の抵抗に近いため、吸湿状態によるきり分けをより安定的に行うために、ローラの抵抗と抵抗１０の合計の抵抗値が〜１０９Ωになるように設定した。
【手続補正２６】
【補正対象書類名】明細書
【補正対象項目名】０１４７
【補正方法】変更
【補正の内容】
【０１４７】
【発明の効果】以上説明したように、本発明によれば、環境による記録材の吸湿状態に応じて変動する、抵抗変動を利用して、記録材の吸湿状態によって電流パスが変わる構成とすることで、高湿環境においては尾引きに最適な電界、低湿環境においては定着器汚れに最適な電界をそれぞれ形成させ、環境に応じて良好な画像を得る事ができる。
【手続補正２７】
【補正対象書類名】明細書
【補正対象項目名】０１４８
【補正方法】削除
【補正の内容】
【手続補正２８】
【補正対象書類名】明細書
【補正対象項目名】０１４９
【補正方法】削除
【補正の内容】
【手続補正２９】
【補正対象書類名】明細書
【補正対象項目名】０１５０
【補正方法】削除
【補正の内容】
【手続補正３０】
【補正対象書類名】明細書
【補正対象項目名】０１５１
【補正方法】削除
【補正の内容】
【手続補正３１】
【補正対象書類名】明細書
【補正対象項目名】０１５２
【補正方法】削除
【補正の内容】